(57)【要約】【課題】パブリックモードから非パブリックモードにプリンタを移行させるユーザの手間を省く。【解決手段】プリンタ２０に、タイムアウト付きパブリックモードを設ける。このタイムアウト付きパブリックモードにおいては、このタイムアウト付きパブリックモードに移行してから所定時間経過した場合、又は、タイムアウト付きパブリックモードでデータ送信装置と接続をして印刷が終了した場合には、元の非パブリックモード（プライベートモード又はオフラインモード）に自動的に移行する。【選択図】　図５
2004040703.tif 000002
【特許請求の範囲】
【請求項１】
データ送信装置と無線により通信する、無線通信手段と、
データ送信装置から無線による問い合わせを受けた際に自らの存在をデータ送信装置に応答するパブリックモードに移行した場合でも、前記パブリックモードに移行してから所定時間経過したときには、データ送信装置から無線による問い合わせを受けた際でも自らの存在をデータ送信装置に応答しない非パブリックモードに自動的に移行する、タイムアウト付きパブリックモードに設定する第１モード設定手段と、
を備えることを特徴とするデータ受信装置。
【請求項２】
前記タイムアウト付きパブリックモードでデータ送信装置と接続された後に、その接続が切断された場合には、前記非パブリックモードに移行する、切断モード移行手段を、さらに備えることを特徴とする請求項１に記載のデータ受信装置。
【請求項３】
当該データ受信装置を前記タイムアウト付きパブリックモードに設定する際にユーザが操作する操作手段を、さらに備えることを特徴とする請求項１又は請求項２に記載のデータ受信装置。
【請求項４】
当該データ受信装置を時間制限のないパブリックモードに設定する、第２モード設定手段を、さらに備えることを特徴とする請求項１乃至請求項３のいずれかに記載のデータ受信装置。
【請求項５】
前記非パブリックモードには、無線による接続を受け付けないオフラインモードと、当該データ受信装置の無線アドレスを特定して接続要求があった場合には接続を受け付けるプライベートモードとが含まれる、ことを特徴とする請求項１乃至請求項４のいずれかに記載のデータ受信装置。
【請求項６】
データ送信装置と無線により通信するデータ受信装置の制御方法であって、
データ送信装置から無線による問い合わせを受けた際に、自らの存在をデータ送信装置に応答するパブリックモードに移行する工程と、
前記パブリックモードに移行してから所定時間経過したときには、データ送信装置から無線による問い合わせを受けた際でも自らの存在をデータ送信装置に応答しない非パブリックモードに自動的に移行する工程と、
を備えることを特徴とするデータ受信装置の制御方法。
【請求項７】
前記パブリックモードでデータ送信装置と接続された後に、その接続が切断された場合には、前記非パブリックモードに移行する工程を、さらに備えることを特徴とする請求項６に記載のデータ受信装置の制御方法。
【発明の詳細な説明】
【０００１】
【発明の属する技術分野】
本発明は、データ受信装置及びその制御方法に関し、特に、少なくともパブリックモードと非パブリックモードとを有するデータ送信装置及びその制御方法に関する。
【０００２】
【従来の技術】
パーソナルコンピュータやデジタルカメラや携帯電話などのデータ送信装置を、プリンタなどのデータ受信装置に無線により接続し、このプリンタで印刷を行うことが実現されるようになっている。この場合、ユーザは、データ送信装置にプリンタの存在を認識させ、この認識させたプリンタにデータ送信装置から印刷データを送信することにより、プリンタで印刷を行わせる。このような無線通信の代表例としては、ブルートゥース（Ｂｌｕｅｔｏｏｔｈ）があげられる。
【０００３】
ブルートゥースにおいては、データ通信を行う前に、予め通信相手を認識するためのペアリングを行う。データ受信装置は、認識した特定のデータ送信装置しか接続することのできないモードと、どのようなデータ送信装置に対しても自分の存在を認識させ、予め認識をしていないデータ送信装置でも接続することのできるモードとを有している。以下では、認識した特定のデータ送信装置しかプリンタに接続できないモードをプライベートモード又は非パブリックモードといい、認識していないデータ送信装置でもプリンタに接続することのできるモードをパブリックモードということとする。
【０００４】
【発明が解決しようとする課題】
しかしながら、上述したデータ受信装置におけるプライベートモードとパブリックモードとの間の切り替えは、ユーザがマニュアルで行うこととなる。例えば、既存のプリンタを、新たなデータ送信装置に認識させたい場合には、それまでプライベートモードになっていたプリンタを、コントロールパネル等を操作して、パブリックモードに移行させる。そして、ユーザは、データ送信装置を操作して、プリンタの存在をデータ送信装置に認識させる。次に、ユーザは、プリンタのコントロールパネル等を操作して、プリンタをパブリックモードからプライベートモードに移行させる。
【０００５】
しかし、このようなプリンタのコントロールパネル等の操作は、ユーザにとって煩わしいものである。また、プリンタを一度、プライベートモードからパブリックモードへ移行させた後、このパブリックモードのまま、元のプライベートモードに戻すことを忘れてしまう恐れもある。プリンタをパブリックモードのまま放置すると、プリンタの存在が、意図していない別のデータ送信装置に認識されてしまい、プリンタ管理者の意図していない印刷が行われてしまう可能性もある。
【０００６】
そこで本発明は、前記課題に鑑みてなされたものであり、自動的にパブリックモードからプライベートモード等の非パブリックモードに戻るデータ受信装置及びその制御方法を提供することを目的とする。
【０００７】
【課題を解決するための手段】
上記課題を解決するため、本発明に係るデータ受信装置は、データ送信装置と無線により通信する、無線通信手段と、データ送信装置から無線による問い合わせを受けた際に自らの存在をデータ送信装置に応答するパブリックモードに移行した場合でも、前記パブリックモードに移行してから所定時間経過したときには、データ送信装置から無線による問い合わせを受けた際でも自らの存在をデータ送信装置に応答しない非パブリックモードに自動的に移行する、タイムアウト付きパブリックモードに設定する第１モード設定手段と、を備えることを特徴とする。
【０００８】
この場合、前記タイムアウト付きパブリックモードでデータ送信装置と接続された後に、その接続が切断された場合には、前記非パブリックモードに移行する、切断モード移行手段を、さらに備えるようにしてもよい。
【０００９】
また、当該データ受信装置を前記タイムアウト付きパブリックモードに設定する際にユーザが操作する操作手段を、さらに備えるようにしてもよい。
【００１０】
また、当該データ受信装置を時間制限のないパブリックモードに設定する、第２モード設定手段を、さらに備えるようにしてもよい。
【００１１】
また、前記非パブリックモードには、無線による接続を受け付けないオフラインモードと、当該データ受信装置の無線アドレスを特定して接続要求があった場合には接続を受け付けるプライベートモードとが含まれるようにしてもよい。
【００１２】
本発明に係るデータ受信装置の制御方法は、データ送信装置と無線により通信するデータ受信装置の制御方法であって、データ送信装置から無線による問い合わせを受けた際に、自らの存在をデータ送信装置に応答するパブリックモードに移行する工程と、前記パブリックモードに移行してから所定時間経過したときには、データ送信装置から無線による問い合わせを受けた際でも自らの存在をデータ送信装置に応答しない非パブリックモードに自動的に移行する工程と、を備えることを特徴とする。
【００１３】
この場合、前記パブリックモードでデータ送信装置と接続された後に、その接続が切断された場合には、前記非パブリックモードに移行する工程を、さらに備えるようにしてもよい。
【００１４】
【発明の実施の形態】
本発明の一実施形態は、データ受信装置であるプリンタに、非パブリックモードからパブリックモードに移行した場合に、所定時間経過後には自動的に非パブリックモードモードに戻るタイムアウト付きパブリックモードを設けることにより、ユーザの利便性を向上させたものである。より詳しくを、以下に説明する。
【００１５】
図１は、本実施形態に係る印刷システムの全体的な構成を説明するブロック図である。この図１に示すように、本実施形態に係る印刷システムは、データ送信装置１０、１２と、プリンタ２０、２２とを備えて構成されている。
【００１６】
データ送信装置１０は、例えば、印刷データを送信するパーソナルコンピュータであり、データ送信装置１２は、例えば、印刷データを送信するデジタルカメラである。データ受信装置の一例であるプリンタ２０は、パブリックモードにあるプリンタであり、プリンタ２２は、プライベートモードにあるプリンタであるとする。これらデータ送信装置１０、１２と、プリンタ２０、２２は、いわゆる無線接続可能な無線端末である。本実施形態においては、特に、無線接続の方式としてブルートゥースを採用しているが、この接続方式に限られるものではない。また、データ送信装置及びプリンタの台数も、それぞれ、１台でも複数台でもよい。
【００１７】
この図１において、プリンタ２０はパブリックモードであるので、データ送信装置１０、１２でその存在を認識することができる。一方、プリンタ２２はプライベートモードであるので、データ送信装置１０、１２でその存在を認識することはできない。つまり、プリンタ２２がプライベートモードにあるままでは、データ送信装置１０、１２はプリンタ２２で印刷を行うことはできない。
【００１８】
次に、図２及び図３に基づいて、データ送信装置１０、１２が、他のプリンタの存在を認識するための処理について説明する。
【００１９】
図２に示すように、周囲に存在するプリンタを認識しようとしたデータ送信装置１０は、無線により、問い合わせパケットＩＱＰをブロードキャストする。この問い合わせパケットＩＱＰを、各プリンタではスキャンしている。そして、図３に示すように、パブリックモードにあるプリンタ２０は、この問い合わせパケットＩＱＰに対応して、自らの存在を示す応答パケットＦＨＳＰを、データ送信装置１０に返信する。この応答パケットＦＨＳＰには、プリンタ２０を特定するための情報として、通信アドレスが少なくとも含まれている。一方、プライベートモードにあるプリンタ２２は、この問い合わせパケットＩＱＰに対応せずに、無視する。このため、プリンタ２２の存在は、データ送信装置１０からは見えないこととなる。
【００２０】
一旦、プリンタ２０の通信アドレスを取得したデータ送信装置１０は、次からプリンタ２０と通信する際には、プリンタ２０の通信アドレスを指定して、無線により直接、呼び出しパケットを送信する。この呼び出しパケットに対しては、たとえプリンタ２０がプライベートモードであっても、応答することとなっている。したがって、プリンタ２０の通信アドレスを取得したデータ送信装置１０は、今後、プリンタ２０がプライベートモードであるかパブリックモードであるかに拘わらず、プリンタ２０に接続することができる。この呼び出しパケットによる接続を１対１の関係にあるページングという。
【００２１】
図４は、プリンタ２０の内部構成を説明するためのブロック図である。なお、プリンタ２２の内部構成もプリンタ２０と同様である。
【００２２】
この図４に示すように、プリンタ２０は、ＣＰＵ（Ｃｅｎｔｒａｌ　Ｐｒｏｃｅｓｓｉｎｇ　Ｕｎｉｔ）４０と、ＲＡＭ（Ｒａｎｄｏｍ　Ａｃｃｅｓｓ　Ｍｅｍｏｒｙ）４２と、ＲＯＭ（Ｒｅａｄ　Ｏｎｌｙ　Ｍｅｍｏｒｙ）４４とを備えており、これらは互いに内部バス４６を介して接続されている。また、この内部バス４６には、通信用のインターフェース４８が接続されており、この通信用のインターフェース４８を介して、上述した無線通信が行われる。
【００２３】
さらに、内部バス４６には、インターフェース５０、５２、５４が接続されている。インターフェース５０には、印刷を実行するための印刷エンジン６０が接続されている。すなわち、このプリンタ２０が受信した印刷データは、言語解釈が行われ、この印刷データに基づいた印刷が印刷エンジン６０で実行される。
【００２４】
インターフェース５２には、ユーザがこのプリンタに対して指示を入力するためのコントロールパネル６２が接続されている。インターフェース５４には、ハードディスク６４が接続されている。
【００２５】
次に、図５に基づいて、これらプリンタ２０、２２が備えている各モードとそのモード遷移について説明する。本実施形態においては、プリンタ２０、２２は、パブリックモードと、プライベートモードと、オフラインモードの３つのモードを有している。パブリックモードにおいては、プリンタ２０は、時間の制限無く、データ送信装置１０、１２からの問い合わせパケットＩＱＰと呼び出しパケットとを受け付ける。プライベートモードにおいては、プリンタ２０は、データ送信装置１０、１２からの呼び出しパケットは受け付けるが、問い合わせパケットＩＱＰは受け付けない。オフラインモードにおいては、プリンタ２０は、データ送信装置１０、１２からの問い合わせパケットＩＱＰも呼び出しパケットも受け付けない。オフラインモードとプライベートモードは、本実施形態における非パブリックモードに相当する。
【００２６】
例えば、プリンタ２０の電源が投入された場合、又は、プリンタ２０のリセットが行われた場合には、プリンタ２０は、オフラインモード、パブリックモード及びプライベートモードのうちのいずれか１つのモードに移行する。これら３つのモードのうち、どのモードに移行するかは、予めプリンタ２０に設定登録されているものとする。
【００２７】
パブリックモードに移行した場合には、このプリンタ２０に、データ送信装置から呼び出しパケットによる接続要求があると、このデータ送信装置と接続し、接続中のモードになる。そして、プリンタ２０は、この接続中のモードで、データ送信装置から印刷データを受信し、印刷を実行する。印刷終了後に、この接続が切断され、パブリックモードに再び移行する。
【００２８】
一方、プリンタ２０がプライベートモードである場合には、データ送信装置から呼び出しパケットによる接続要求があった際には、このデータ送信装置と接続し、接続中のモードになる。印刷終了後に、この接続が切断され、再びプライベートモードに戻る。
【００２９】
一方、プライベートモードにおいては、ユーザがコントロールパネル６２を操作することにより、このプリンタ２０を、タイムアウト付きパブリックモードに移行させることができる。本実施形態に係るプリンタ２０においては、例えば、コントロールパネル６２の「印刷開始ボタン」を５秒以上長押しすることにより、タイムアウト付きパブリックモードに移行させることができる。このタイムアウト付きパブリックモードは、所定時間内に呼び出しパケットによる接続要求がない場合は、自動的に、プライベートモード又はオフラインモードの非パブリックモードに戻るモードである。本実施形態においては、この所定時間は、例えば１分に設定されているが、これに限るものではない。
【００３０】
この所定時間内に呼び出しパケットによる接続要求があった場合には、プリンタ２０は、接続中のモードに移行する。そして、印刷データをデータ送信装置から受信し、印刷を実行する。プライベートモードからタイムアウト付きパブリックモードに移行した場合には、印刷終了後は、プライベートモードに戻る。
【００３１】
これに対して、プリンタ２０がオフラインモードにある場合、プリンタ２０は無線によるデータ送信装置からの接続要求を一切受け付けない。しかし、このオフラインモードでも、ユーザがプリンタ２０のコントロールパネル６２を操作することにより、このプリンタ２０を、タイムアウト付きパブリックモードに移行させることができる。この場合も、上述同様に、所定時間内に接続要求があれば接続中のモードに移行するが、所定時間内に接続要求がなければ、自動的に、オフラインモードに戻ることとなる。オフラインモードからタイムアウト付きパブリックモードに移行した後に呼び出しパケットによる接続要求を受け付けて、接続中のモードに移行した場合には、印刷終了後は、オフラインモードに戻る。
【００３２】
次に、図６に基づいて、プリンタ２０をプライベートモードからタイムアウト付きパブリックモードに移行させて、データ送信装置１０から印刷を行う場合の通信のやり取りを説明する。
【００３３】
まず、ユーザは、プリンタ２０のコントロールパネル６２における「印刷開始ボタン」を例えば５秒以上長押しする。これにより、プリンタ２０は、タイムアウト付きパブリックモードに移行する。続いて、ユーザは、データ送信装置１０を操作して、周囲に存在するプリンタをデータ送信装置１０に検索させる。上述したように、この際プリンタ１０は、問い合わせパケットＩＱＰを周囲に無線によりブロードキャストする。
【００３４】
プリンタ２０は、１分間だけパブリックモードになっているので、この問い合わせパケットＩＱＰに対応して、データ送信装置１０に応答パケットＦＨＳＰを返信する。この応答パケットＦＨＳＰには、プリンタ２０の通信アドレスが含まれているので、これにより、データ送信装置１０はプリンタ２０の存在を認識できるとともに、データ送信装置１０の通信アドレスを取得することができる。
【００３５】
次に、プリンタ１０は、データ送信装置１０の通信アドレスを指定して、呼び出しパケットを送信して、ページングを行う。このページングに対して、プリンタ２０はページング応答をデータ送信装置１０に送信する。これにより、データ送信装置１０とプリンタ２０との間の１対１の接続が確立される。また、このページングにより、正確に相手との同期をとることができる。
【００３６】
次に、データ送信装置１０とプリンタ２０とは、お互いの認証手続を行う。すなわち、お互いに認証を要求して、その認証の応答を返信する。本実施形態においては、データ送信装置１０の認証はパスワードにより行われ、プリンタ２０の認証は固定ＰＩＮコードにより行われる。但し、この認証手続きは、認証を必要としないシステムでは省くことも可能である。
【００３７】
次に、データ送信装置１０は、プリンタ２０に印刷データを送信する。この印刷データを受信したプリンタ２０は、この印刷データに基づいた印刷を実行する。そして、印刷データを送信し終えたデータ送信装置１０は、切断要求をプリンタ２０に送信する。この切断要求を受信したプリンタ２０は、切断応答をデータ送信装置１０に返信する。これにより、データ送信装置１０とプリンタ２０との間の接続が切断される。
【００３８】
これら一連の流れにおいて、ページング以降の通信は、プリンタ２０がパブリックモードである必要はない。すなわち、問い合わせパケットＩＱＰをプリンタ２０が受信するまでは、プリンタ２０がパブリックモードである必要があるが、それ以降はプライベートモードでもよい。このため、本実施形態では、タイムアウト付きパブリックモードのタイムアウトの時間を１分に設定しているのである。
【００３９】
なお、データ送信装置１０が再びプリンタ２０で印刷を行おうとする場合は、既にプリンタ２０の通信アドレスを取得しているので、データ送信装置１０からプリンタ２０へ、通信アドレスを指定して、呼び出しパケットを送信することができる。このため、プリンタ２０がプライベートモードであっても、データ送信装置１０はプリンタ２０に接続することが可能である。
【００４０】
次に、図７に基づいて、このプリンタ２０が実行するタイムアウト付きパブリックモード処理について説明する。この図７は、本実施形態に係るタイムアウト付きパブリックモード処理の内容を説明するフローチャートである。このタイムアウト付きパブリックモード処理は、ＲＯＭ４４又はハードディスク６４に格納されているタイムアウト付きパブリックモードプログラムをＣＰＵ４０が読み込んで実行することにより実現される処理である。また、このタイムアウト付きパブリックモード処理は、所定間隔で定常的に実行されている処理である。
【００４１】
図７に示すように、プリンタ２０は、まず、プリンタ２０がオフラインモード及びプライベートモードのいずれかであるかどうかを判断する（ステップＳ１０）。オフラインモードでもなく、プライベートモードでもない場合（ステップＳ１０：Ｎｏ）、つまりパブリックモードである場合には、このステップＳ１０の処理を繰り返して待機する。
【００４２】
一方、プリンタ２０がオフラインモード及びプライベートモードのいずれかである場合（ステップＳ１０：Ｙｅｓ）には、プリンタ２０は、コントロールパネル６２でタイムアウト付きパブリックモードに移行するためのスイッチ操作がなされたかどうかを判断する（ステップＳ１２）。スイッチ操作がなされていない場合（ステップＳ１２：Ｎｏ）には、上述したステップＳ１０に戻る。
【００４３】
一方、スイッチ操作がなされた場合（ステップＳ１２：Ｙｅｓ）には、タイマーをゼロにセットする（ステップＳ１４）。そして、パブリックモードに移行する（ステップＳ１６）。
【００４４】
次に、プリンタ２０は、何らかの装置から、接続を要求されたかどうかを判断する（ステップＳ１８）。ここでの接続要求には、上述した問い合わせパケットＩＱＰと呼び出しパケットの双方が含まれる。何ら接続要求されていない場合（ステップＳ１８：Ｎｏ）には、タイマーが１分以上経過したかどうかを判断する（ステップＳ２０）。タイマーが１分以上経過していない場合（ステップＳ２０：Ｎｏ）には、上述したステップＳ１８の処理に戻る。
【００４５】
一方、タイマーが１分以上経過した場合（ステップＳ２０：Ｙｅｓ）には、プリンタ２０は元のモードに戻る（ステップＳ２２）。すなわち、ステップＳ１０でオフラインモードであった場合には、オフラインモードに移行し、ステップＳ１０でプライベートモードであった場合には、プライベートモードに移行する。そして、ステップＳ１０の処理に戻る。
【００４６】
これに対して、上述したステップＳ１８で、何らかの装置に接続要求されたと判断した場合（ステップＳ１８：Ｙｅｓ）には、プリンタ２０を接続中のモードにする（ステップＳ３０）。そして、この接続相手と接続を確立し、印刷を実行する。そして、プリンタ２０は接続を確立した相手から、切断要求を受信したかどうかを判断する。切断要求を受信していない場合（ステップＳ３２：Ｎｏ）には、接続を維持して、印刷の実行等を行う。一方、切断要求を受信した場合（ステップＳ３２：Ｙｅｓ）には、その装置との接続を切断して元のモードに戻る（ステップＳ２２）。
【００４７】
以上のように、本実施形態に係るプリンタ２０、２２によれば、タイムアウト付きパブリックモードに移行した場合には、所定時間経過してもデータ送信装置からの接続がない場合には、自動的に元のモード（プライベートモード又はオフラインモード）に戻ることとした。また、所定時間内にデータ送信装置からの接続があった場合には、印刷を実行し、印刷終了後に自動的に元のモード（プライベートモード又はオフラインモード）に戻ることとした。このため、ユーザがわざわざプリンタ２０、２２をパブリックモードからプライベートモードやオフラインモードに移行するために、コントロールパネル６２の操作をする必要がなくなる。したがって、ユーザの手間を省いて、利便性を向上させることができる。
【００４８】
また、ユーザがパブリックモードのままプリンタ２０、２２を長期間放置してしまう恐れがなくなり、プリンタ２０、２２のセキュリティを確保することができる。
【００４９】
なお、本発明は上記実施形態に限定されず種々に変形可能である。例えば、上述した実施形態においては、データ送信装置としてパーソナルコンピュータやデジタルカメラを例示したが、データ送信装置はこれらに限るものではない。また、データ受信装置としてプリンタを例示したが、データ受信装置もこれに限るものではない。
【００５０】
また、上述の実施形態で説明した各処理については、これら各処理を実行するためのプログラムをフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ、メモリカード等の記録媒体に記録して、記録媒体の形で頒布することが可能である。この場合、このプログラムが記録された記録媒体をプリンタ２０、２２に読み込ませ、実行させることにより、上述した実施形態を実現することができる。
【００５１】
また、プリンタ２０、２２は、オペレーティングシステムや別のアプリケーションプログラム等の他のプログラムを備える場合がある。この場合、プリンタ２０、２２の備える他のプログラムを活用し、記録媒体にはそのプリンタ２０、２２が備えるプログラムの中から、上述した実施形態と同等の処理を実現するプログラムを呼び出すような命令を記録するようにしてもよい。
【００５２】
さらに、このようなプログラムは、記録媒体の形ではなく、ネットワークを通じて搬送波として頒布することも可能である。ネットワーク上を搬送波の形で伝送されたプログラムは、プリンタ２０、２２に取り込まれて、このプログラムを実行することにより上述した実施形態を実現することができる。
【００５３】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだプリンタ２０、２２は、そのプログラムの復号化や伸張化を行った上で、実行する必要がある。
【００５４】
【発明の効果】
以上説明したように、本発明に係るデータ受信装置によれば、データ送信装置から無線による問い合わせを受けた際に自らの存在をデータ送信装置に応答するパブリックモードに移行した場合でも、パブリックモードに移行してから所定時間経過したときには、データ送信装置から無線による問い合わせを受けた際でも自らの存在をデータ送信装置に応答しない非パブリックモードに自動的に移行する、タイムアウト付きパブリックモードを設けることとしたので、ユーザが操作をしなくとも、パブリックモードから非パブリックモードにこのデータ受信装置を移行させることができる。このため、ユーザの利便性が向上する。
【図面の簡単な説明】
【図１】本発明の一実施形態に係る印刷システムの構成を説明するブロック図。
【図２】データ送信装置が周囲にあるプリンタを認識するために問い合わせパケットを送信する状態を説明する図。
【図３】問い合わせパケットに応答して、パブリックモードにあるプリンタが自らの存在をデータ送信装置に示す応答パケットを返信する状態を説明する図。
【図４】本実施形態に係るプリンタの内部構成を説明するブロック図。
【図５】本実施形態に係るプリンタが備える各モードの遷移を説明する図。
【図６】データ送信装置が問い合わせパケットを送信してから印刷を行い、接続を切断するまでの間における、データ送信装置とプリンタとの間の無線通信のやり取りを説明する図。
【図７】本実施形態に係るプリンタが実行するタイムアウト付きパブリックモード処理を説明するフローチャート。
【符号の説明】
１０、１２　データ送信装置
２０、２２　プリンタ
ＩＱＰ　問い合わせパケット
ＦＨＳＰ　応答パケット
４０　ＣＰＵ
４２　ＲＡＭ
４４　ＲＯＭ
４６　内部バス
４８　通信インターフェース
５０、５２、５４　インターフェース
６０　印刷エンジン
６２　コントロールパネル
６４　ハードディスク
【図１】
2004040703.tif 000003
【図２】
2004040703.tif 000004
【図３】
2004040703.tif 000005
【図４】
2004040703.tif 000006
【図５】
2004040703.tif 000007
【図６】
2004040703.tif 000008
【図７】
2004040703.tif 000009